(57)【要約】【課題】  回転操作する部材の回転角が大きく必要となった場合でも、大型化せずに、操作感向上を目的とする弾性部材を配置可能なレンズ鏡筒を提供すること。【解決手段】  バヨネット爪が設けられたズーム操作環１２０と、バヨネット爪規制部が設けられ、ズーム操作環１２０に対して相対的に回転可能にバヨネット結合する固定筒１０２と、バヨネット爪またはバヨネット爪規制部のうち一方に保持され、他方に圧縮接触する弾性部材１２２とを有すること。【選択図】  図１
2010032891.tif 000002
【特許請求の範囲】
【請求項１】
バヨネット爪が設けられた第１の部材と、
バヨネット爪規制部が設けられ、前記第１の部材に対して相対的に回転可能にバヨネット結合する第２の部材と、
前記バヨネット爪または前記バヨネット爪規制部のうち一方に保持され、他方に圧縮接触する弾性部材と、
を有するレンズ鏡筒。
【請求項２】
前記第１の部材及び前記第２の部材の一方は、使用者が回転操作する部材であることを特徴とする請求項１記載のレンズ鏡筒。
【発明の詳細な説明】
【技術分野】
【０００１】
本発明は、レンズ鏡筒に関する。特に、使用者が直接操作する操作部材を備えたレンズ鏡筒に好適である。
【背景技術】
【０００２】
従来、レンズ鏡筒において、操作感の向上を目的として、特許文献１および特許文献２のようなズーム操作環と固定部材の間に、弾性部材を狭持する構成が知られている。
【０００３】
一般的には、固定部材に対してズーム操作環をバヨネット結合、または一方に周方向溝、他方に溝と係合するピンを設けて、光軸方向の移動を規制しつつ、光軸を中心とした回転のみを可能とする構成がとられる。
【０００４】
上記構成において弾性部材は、例えば特許文献１のように、複数設けられた周方向溝間の空いた角度範囲に設けられたり、ズーム操作環と固定部材の係合部とは光軸方向に位置をずらした場所に、面対向する箇所を設け、そこに弾性部材が配置されたりする。いずれも弾性部材は光軸を中心として半径方向に圧縮接触している構成となっている。
【０００５】
またバヨネット結合されている場合においては、バヨネット爪またはバヨネット爪規制部の光軸と直交するフランジ面に弾性部材を圧縮接触させるようにした構成が知られている。
【０００６】
この場合弾性部材は、ズーム操作環の回転使用範囲を考慮して、弾性部材の摺動範囲が、バヨネット構造を形成するバヨネット爪またはバヨネット爪規制部に設けられている導入用の切り欠きを含まないように、配置される。
【特許文献１】特開平８−２８６０９０号公報
【特許文献２】特開２００８−５２２１９号公報
【発明の開示】
【発明が解決しようとする課題】
【０００７】
しかしながら、近年上記したような操作感が求められる一眼レフカメラに取り付けられる交換レンズにおいて、高ズーム比化が求められている。
【０００８】
この場合のレンズ鏡筒は、交換レンズを構成する光学系の各群の移動量が大きく必要で、これに伴い、ズーム操作環の回転角も大きくとる必要が生じる。
【０００９】
上記した従来例において、ズーム操作環の回転角を大きくとろうとすると、以下のような問題点が懸念される。
【００１０】
最初に、周方向溝とピンの係合による構成の場合は、周方向溝が長くなるため、空いた角度範囲が無くなり、弾性部材を配置するスペースが無くなってしまう。配置スペースを確保するために、ズーム操作環と固定部材の係合部とは光軸方向に位置をずらした場所に、面対向する箇所を設けると、レンズ鏡筒が大型化してしまう。
【００１１】
次に、バヨネット結合の場合も同様で、バヨネット爪またはバヨネット爪規制部のどちらか一方が角度方向に広くなるため、弾性部材を配置することが困難になってくる。
【００１２】
そこで本発明は、上記問題点に鑑み、回転角が大きく必要となった場合でも、大型化せずに、操作感向上を目的とする弾性部材を配置可能なレンズ鏡筒を提供することを目的とする。
【課題を解決するための手段】
【００１３】
上記目的を達成するため、本発明のレンズ鏡筒は、バヨネット爪が設けられた第１の部材と、バヨネット爪規制部が設けられ、第１の部材に対して相対的に回転可能にバヨネット結合する第２の部材と、バヨネット爪またはバヨネット爪規制部のうち一方に保持され、他方に圧縮接触する弾性部材とを有することを特徴としている。
【発明の効果】
【００１４】
本発明によれば、ズーム操作環等の回転操作する部材の回転角が大きく必要な場合でも、レンズ鏡筒を大型化せずに、弾性部材を配置することが可能となり、操作感を向上させたレンズ鏡筒を提供することが可能となる。
【発明を実施するための最良の形態】
【００１５】
本発明の実施の形態を、図面を用いて説明する。
【００１６】
図１は、本発明の実施形態である一眼レフカメラ用交換レンズの内部構造と、それが取り付けられるカメラ本体の概略を示す断面図である。図２は、図１に示すＡ部の部分拡大断面図である。図３は、図１の主要部分分解斜視図である。図４は、弾性部材１２２の組み込み状態を示す拡大斜視図である。
【００１７】
１００は本実施形態の交換レンズが着脱自在に取り付けられるカメラ本体である。カメラ本体１００は、撮像素子１００ａを有する。
【００１８】
本実施形態の交換レンズは、物体側から順に、第１〜第５レンズ群Ｌ１〜Ｌ５を有する５群構成の交換レンズである。全てのレンズ群Ｌ１〜Ｌ５は、ズーム動作に際し光軸方向に移動する。第２レンズ群Ｌ２は、フォーカス動作に際し光軸方向に移動する。またズーム動作時には、第３レンズ群Ｌ３と第５レンズ群Ｌ５とが一体的に移動する。第４レンズ群Ｌ４は、第４ａレンズ群Ｌ４ａ、第４ｂレンズ群Ｌ４ｂの２つの部分群に分けられ、物体側に位置する群である第４ａレンズ群Ｌ４ａは、光軸方向への移動とは別に、像振れ補正動作を行うために光軸直交方向にも移動する。
【００１９】
１０１はマウントで、カメラ本体１００に取り付けるためのバヨネット部を有しており、固定筒１０２にビス止め固定されている。
【００２０】
１０３は外装環で、マウント１０１と固定筒１０２との間に挟み込まれて固定されている。外装環１０３には、図３に示すようにＳＷパネル１０４が取り付けられていて、ＳＷパネル１０４に設けられたスイッチを切り換えることによって、オートフォーカスや振れ補正などの機能を選択して使用することができる。
【００２１】
１０５は案内筒で、固定筒１０２がビス止めされることでカメラ本体１００に対して固定部を構成している。案内筒１０５の外周には、不図示のコロによって光軸回りに回転可能となっている第１カム筒１０６が嵌合している。
【００２２】
これにより、第１カム筒１０６を回転させると、案内筒１０５に設けられた光軸方向の案内溝と第１カム筒１０６に設けられたカム溝の交点が移動する。この交点の移動に従い、第３レンズ群Ｌ３を保持する３群保持枠１０７を、ビス止めされたコロを介して光軸方向へ移動させることができる。同様に、第４レンズ群Ｌ４を保持する振れ補正ユニット１０８、および第１直進筒１０９を、それぞれにビス止めされたコロを介して光軸方向へ移動させることができる。
【００２３】
３群保持枠１０７には、絞り駆動部と絞り羽根部とから構成される電磁絞りユニット１１０が、ビスにより固定されている。
【００２４】
また３群保持枠１０７の延出部１０７ａの後端には、第５レンズ群Ｌ５を保持する５群保持枠１１１が、３群保持枠１０７にビス止めされた５群保持板１１２に狭持されることにより保持されている。
【００２５】
振れ補正ユニット１０８は、第４ａレンズ群Ｌ４ａを光軸直交方向に駆動可能に保持しており、マグネットおよびコイルとから構成される駆動部によって第４ａレンズ群Ｌ４ａを駆動する。また後端には、第４ｂレンズ群Ｌ４ｂを保持する４ｂ群保持枠１１３が、補強板１１４を介してビス止めされている。
【００２６】
第１直進筒１０９の外周には、第２カム筒１１５が公知のバヨネット構造により第１直進筒１０９に対して、光軸方向の位置は規制され、かつ第１カム筒１０６の回転が伝達されることにより回転可能な状態で嵌合している。
【００２７】
第１直進筒１０９には、光軸方向に延びた案内溝が設けられており、第２カム筒１１５には、カム溝が設けられている。これにより、第２カム筒１１５が回転すると、第１直進筒１０９の直進溝と第２カム筒１１５の交点が移動する。この交点の移動に従い、第２直進筒１１６を、ビス止めされた不図示のコロを介して光軸方向へ移動させることができる。
【００２８】
第２直進筒１１６の先端付近には、第１レンズ群Ｌ１を保持する１群保持枠１１７が、コロを介して保持されている。また、フィルター枠１１８が、不図示のビスにより固定されている。フィルター枠１１８の先端外周には、バヨネット部が、内周にはネジ部がそれぞれ設けられており、それぞれフード、フィルター等のアクセサリーが装着可能となっている。
【００２９】
１１９は化粧環で、前面にレンズ名称等の表示が印刷されている。
【００３０】
１２０はズーム操作環で、固定筒１０２に対して、公知のバヨネット構造により回転可能に保持されている。ズーム操作環１２０は、ズーム操作時に使用者が回転操作する部材である。
【００３１】
ズーム操作環１２０には、第１カム筒１０６にビス止めされた不図示のズームキーが係合する凹部が形成されている。これにより、ズームキーを介してズーム操作環１２０と一体的にカム筒１０６を回転させることができる。
【００３２】
１２１はズーム操作環１２０の外周に巻き付けられたズームゴムである。
【００３３】
１２２は弾性部材で、ズーム操作環１２０に設けられているバヨネット結合用のフランジ面（後述のバヨネット爪１２０ａ）に圧縮接触しており、固定筒１０２に設けられているバヨネット規制部内に保持されている。
【００３４】
１２３はフォーカスカム筒で、円筒部にカム溝が設けられている。このカム溝には、第１カム筒１０６の外周に設けられた不図示のコロが係合する。また、フォーカスカム筒１２３から延出したキー部は、固定筒１０２に公知のバヨネット構造により回転可能に取り付けられたフォーカスリング１２４に取り付けられているフォーカスキー１２５と一体的に回転するよう係合している。
【００３５】
１２６は第２レンズ群Ｌ２を保持する２群保持枠で、フォーカスカム筒１２３に固定されている。これにより２群保持枠１２６は、第１カム筒１０６が回転する（フォーカスリング１２４は停止）と光軸方向に進退する。このときの進退量は、第１カム筒１０６自体の光軸方向進退量と、フォーカスカム筒１２３のカム溝に係合する第１カム筒１０６に設けられたコロの係合点の光軸方向変化量との合計量で決まる。
【００３６】
また、フォーカスリング１２４が回転する（第１カム筒１０６は停止）と、回転しながらフォーカスカム筒１２３のカム溝と係合する第１カム筒１０６に設けられたコロの係合点の光軸方向変化量に応じて進退する。
【００３７】
本実施形態の交換レンズでは、インナーフォーカスにおける焦点距離変化に伴う焦点位置ずれを、このように機構的に補償して、第２レンズ群Ｌ２を光軸方向に進退させる。
【００３８】
１２７はメイン基板で、電磁絞りユニット１１０、振れ補正ユニット１０８等と可撓性フレキシブル基板を介して電気的に接続され、各種制御を行う。
【００３９】
１２８はマウント１０１にビス止めされ、メイン基板１２７とフレキシブル基板を介して接続された接点ブロックであり、カメラ本体との通信および電源の供給を行うために設けられている。
【００４０】
１２９は裏蓋で、マウント１０１に弾性結合して有害光をカットしている。１３０は、裏蓋１２９に弾性結合している保護ゴムリングである。
【００４１】
以上のように構成された交換レンズでは、ズーム操作環１２０を回転させると、ズームキーを介して第１カム筒１０６が回転し、上記機構に従い全てのレンズ群Ｌ１〜Ｌ５が光軸方向に進退してズーミングが行われる。なお、この際、第３レンズ群Ｌ３と第５レンズ群Ｌ５とは一体的に進退する。
【００４２】
一方、オートフォーカス時には不図示のモータの駆動により、マニュアルフォーカス時には手動により、それぞれフォーカスリング１２４を回転させる。これにより、上記機構に従い、第２レンズ群Ｌ２が進退し、フォーカシングを行うことができる。
【００４３】
次に、図２および図３および図４を用いて、本発明の特徴である弾性部材１２２の保持部について、詳細に説明する。
【００４４】
ズーム操作環１２０には内周にバヨネット爪１２０ａが形成されている。すなわち、ズーム操作環１２０が本発明における第１の部材に相当する。
【００４５】
一方、固定筒１０２には、バヨネット爪１２０ａを光軸方向に挟み込むようにバヨネット爪規制部１０２ａが、角度方向に略等分されるように３箇所設けられている。すなわち、固定筒１０２が本発明における第２の部材に相当する。
【００４６】
バヨネット爪１２０ａには、バヨネット爪規制部１０２ａに対応するように、切り欠き部１２０ｂが形成されている。
【００４７】
組み込み時には、バヨネット爪規制部１０２ａおよび切り欠き部１２０ｂの位相を合わせ、バヨネット爪１２０ａの物体側面とバヨネット爪規制部１０２ａの物体側面を当接させてから回転させる。これにより、ズーム操作環１２０と固定筒１０２とが、相対的に回転可能にバヨネット結合する。
【００４８】
この切り欠き部１２０ｂは、組み込み後の実際のズーム作動範囲においては、バヨネット爪規制部１０２ａにかからないように、バヨネット爪規制部１０２ａおよび切り欠き部１２０ｂの幅が決定されている。
【００４９】
バヨネット爪規制部１０２ａには、中心部に凹部が形成されていて、この凹部により弾性部材１２２の光軸方向位置および角度方向位置が決定される。
【００５０】
弾性部材１２２の先端は、バヨネット爪１２０ａに圧縮接触するよう、長さが決定されていて、外装環１０３を固定筒１０２に取り付けることにより、弾性部材１２２の抜け止めとなる。
【００５１】
以上説明したように、バヨネット爪規制部１０２ａ自体に、弾性部材１２２を保持することにより、ズーム操作環１２０の回転角が大きく必要となった場合においても、レンズ鏡筒を大型化せずに、操作感向上を目的とする弾性部材が配置可能となる。
【００５２】
また、以上実施例は、バヨネット爪１２０ａの角度方向を広く、バヨネット爪規制部１０２ａの角度方向を狭くし、バヨネット爪規制部１０２ａに弾性部材１２２を保持する場合を挙げた。
【００５３】
この逆の設定、つまりはバヨネット爪１２０ａの角度方向を狭く、バヨネット爪規制部１０２ａの角度方向を広くし、バヨネット爪１２０ａに弾性部材１２２を保持する場合も可能である。
【００５４】
更に、本実施形態では、ズーム操作環１２０にバヨネット爪１２０ａを、固定筒１０２にバヨネット爪規制部１０２ａを設けているが、逆にズーム操作環にバヨネット爪規制部を、固定筒にバヨネット爪を設けても良い。
【図面の簡単な説明】
【００５５】
【図１】一眼レフカメラ用交換レンズの断面図である。
【図２】図１の部分拡大断面図である。
【図３】図１の主要部分分解斜視図である。
【図４】弾性部材１２２の組み込み状態を示す拡大斜視図である。
【符号の説明】
【００５６】
１００  カメラ本体
１０１  マウント
１０２  固定筒
１０３  外装環
１０４  ＳＷパネル
１０５  案内筒
１０６  第１カム筒
１０７  ３群保持枠
１０８  振れ補正ユニット
１０９  第１直進筒
１１０  電磁絞りユニット
１１１  ５群保持枠
１１２  ５群保持板
１１３  ４ｂ群保持枠
１１４  補強板
１１５  第２カム筒
１１６  第２直進筒
１１７  １群保持枠
１１８  フィルター枠
１１９  化粧環
１２０  ズーム操作環
１２１  ズームゴム
１２２  弾性部材
１２３  フォーカスカム筒
１２４  フォーカスリング
１２５  フォーカスキー
１２６  ２群保持枠
１２７  メイン基板
１２８  接点ブロック
１２９  裏蓋
１３０  保護ゴムリング
【図１】
2010032891.tif 000003
【図２】
2010032891.tif 000004
【図３】
2010032891.tif 000005
【図４】
2010032891.tif 000006